(57)【要約】【課題】絶縁碍子の保守、点検を行うために絶縁碍子と接続された送電線の接地作業を行う際に使用する送電線作業保護具としてのアースフックの構成を簡略化して取扱性、作業性を向上する。【解決手段】絶縁棒２と、絶縁棒により着脱自在に支持された第１の係止部材３と、該第１の係止部材と電気的に接続された接地リード線４と、該接地リード線を介して該第１の係止部材と電気的に接続された第２の係止部材５と、を備え、第２の係止部材は、第１の係止部材に対して着脱自在に構成されている。【選択図】図１
2014166090.tif 000002
【特許請求の範囲】
【請求項１】
絶縁棒と、該絶縁棒により着脱自在に支持された第１の係止部材と、該第１の係止部材と電気的に接続された接地リード線と、該接地リード線を介して該第１の係止部材と電気的に接続された第２の係止部材と、を備え、
前記第２の係止部材は、前記第１の係止部材に対して着脱自在に構成されていることを特徴とするアースフック。
【請求項２】
前記第１の係止部材、又は前記第２の係止部材に対して、第３の係止部材を他の接地リード線を介して電気的に接続したことを特徴とする請求項１に記載のアースフック。
【請求項３】
前記第１、第２、及び第３の係止部材は、夫々絶縁材料から成るベース部材と、該ベース部材によって開閉自在に軸支され、且つ前記ベース部材の導体部分との間で対象物を挟持する導体部分を備えたフック部材と、前記各接地リード線との接続端子と、を備え、
前記絶縁棒を何れかの前記係止部材に装着した状態で、該絶縁棒を回動操作することにより、前記各フック部材を開閉するように構成されていることを特徴とする請求項１又は２に記載のアースフック。
【請求項４】
送電鉄塔により支持され、且つ両端部に送電路側アークホーン、及び接地側アークホーンを突設した絶縁碍子連が支持した送電線を、請求項１乃至３の何れか一項に記載のアースフックを用いて接地する方法であって、
前記第２の係止部材を取り付けた前記第１の係止部材に前記絶縁棒を装着した状態で、該第１の係止部材を前記接地側アークホーンに係止するステップと、
前記第１の係止部材から前記絶縁棒を離脱させるステップと、
前記絶縁棒を前記第１の係止部材に取り付けられた前記第２の係止部材に装着するステップと、
前記絶縁棒を操作して前記第２の係止部材を前記第１の係止部材から離脱させるステップと、
前記絶縁棒により支持した前記第２の係止部材を前記線路側アークホーンに係止するステップと、
前記第２の係止部材から前記絶縁棒を離脱させるステップと、を備えたことを特徴とするアースフックを用いた接地方法。
【発明の詳細な説明】
【技術分野】
【０００１】
本発明は、送電線作業保護具として用いられるアースフックの改良、及びこのアースフックを用いた接地方法に関するものである。
【背景技術】
【０００２】
送電線を停電させた状態で鉄塔上において行われる保守、点検作業は、アースフックと呼ばれる送電線作業保護具（乙種アース）を用いて作業対象箇所を接地させつつ実施される。作業対象箇所にアースフックを取り付けて接地させた状態で作業を行うことにより、万が一停電している筈の送電線に電流が流れた場合における作業員の安全確保が可能となる。
この種の保守、点検作業の一つとして、鉄塔上の絶縁碍子を交換したり、補修する作業を挙げることができる。
従来のアースフック１００は、図８に示すように、エポキシパイプ等からなる絶縁棒（操作棒）１０１と、絶縁棒の先端に開閉自在に軸支された金属製のフック部材１０５と、絶縁棒１０１を回動させて操作することによってフック部材を開閉させる開閉機構１１０と、フック部材に対して接地リード線１１５を介して接続された接地金具１１６と、を備えている（特許文献１）。
【０００３】
図９は鉄塔上の絶縁碍子を交換したり、補修する作業を行うために、アースフックを利用して一方の絶縁碍子１２０と接続された送電線を接地する状態を示している。アースフック１００による接地作業においては、フック部材１０５を鉄塔の腕金１４０に取り付けられた絶縁碍子１２０の一端部に固定された線路側アークホーン１２５に係止し、絶縁棒１０１を鉄塔の適所にワイヤ等によって固縛した上で、フック部材１０５と電気的に接続された接地リード線先端の接地金具１１６を鉄塔側のアース部材１４１に接続する。
フック部材１０５をアークホーン１２５に係止する際には、作業者が鉄塔側に位置した状態で絶縁棒１０１を回動操作して先端のフック部材１０５を開いた状態にしてアークホーン１２５まで伸ばして引っ掛ける。続いて絶縁棒を操作してフック部材１０５を閉止することによりアークホーンの係止を完了する。その後、フック部材を先端部に取り付けたままの状態の絶縁棒を鉄塔の適当な部位に固縛してから、接地金具１１６を鉄塔側のアース部材１４１に対して取り付けるためのボルトによる締結作業を行う。この作業は、作業員が不安定な姿勢となり、しかも時間のかかる煩雑な作業であり、改善策が望まれている。
特に、線路側アークホーン１２５と接続されたフック部材１０５と、鉄塔側に固定された接地金具１１６との間の距離は、短くても２〜４ｍ程度あるため、接地リード線の長さが長大となる。接地リード線は重量が大きく取扱いに大きな力を要するため、アースフックの設置作業は時間と労苦を要する効率の悪い作業となっている。また、接地リード線がその後の作業の邪魔にならないように、絶縁棒の固定位置等を工夫する必要があった。
【０００４】
また、接地側のアークホーン１２６寄りの鉄塔部位に絶縁棒を固定するため、碍子を保守、点検する等の作業において、絶縁棒に作業者の身体が触れ易い。絶縁棒に触れることによりフック部材の係止力を越える力が絶縁棒から加わった場合にはフック部材が外れることがあった。また、接地金具と鉄塔との固定が不十分である場合等においても、絶縁棒から加わる力により接地金具が外れることがあった。
保守、点検作業中にフック部材が電線や金具から脱落すると、万が一送電線に通電があった場合に重大事故に繋がる虞がある。
なお、絶縁棒の先端にフック部材を着脱可能に構成することにより、絶縁棒を鉄塔に固縛する必要のない接地作業を可能としたアースフックも知られている。しかし、接地リード線を介してフック部材と接続された接地金具を鉄塔側のアース部材１４１とボルト締め作業によって接続する必要があるため、ボルト締め作業に伴う作業性の低下、接地リード線の長大化による重量増、作業性の低下という不具合は解消されていない。
【０００５】
また、２つの送電線１３０間を接続するジャンパー線１３５を切断する作業を停電状態で実施する場合には、各送電線を接地する必要があるが、この場合には２個のアースフックを用いて各送電線に対する接地作業を行う必要があり、煩雑であった。
また、従来のアースフックでは、絶縁碍子以外の各種機器を停電状態にする場合においても同様の不具合が発生する。
【先行技術文献】
【特許文献】
【０００６】
【特許文献１】特開２０００−２７８８３０公報
【発明の概要】
【発明が解決しようとする課題】
【０００７】
以上のように、絶縁碍子の保守、点検を行うために、アースフックを用いて絶縁碍子により支持された送電線を接地する際には、対象となる絶縁碍子の両端から突出したアークホーンの内の一方（送電線側）と、鉄塔に設けたアース部材との間に接地リード線を接続する接地作業を実施する。
しかし、アースフックが、絶縁棒に対してフック部材を着脱可能なタイプであったとしても、接地リード線の長尺化による取扱性、作業性の低下等の不具合が生じている。
本発明は上記に鑑みてなされたものであり、絶縁碍子の保守、点検を行うために絶縁碍子により支持された送電線の接地作業を行う際に使用する送電線作業保護具としてのアースフックの構成を簡略化して取扱性、作業性を向上することができる技術を提供するものである。
【課題を解決するための手段】
【０００８】
上記目的を達成するため、請求項１の発明に係るアースフックは、絶縁棒と、該絶縁棒により着脱自在に支持された第１の係止部材と、該第１の係止部材と電気的に接続された接地リード線と、該接地リード線を介して該第１の係止部材と電気的に接続された第２の係止部材と、を備え、前記第２の係止部材は、前記第１の係止部材に対して着脱自在に構成されていることを特徴とする。
接地リード線の両端部にほぼ同一構造の係止部材を取り付けたので、絶縁棒を用いた作業だけで、各係止部材を任意の部位に対して着脱することができる。
【０００９】
請求項２の発明は、前記第１の係止部材、又は前記第２の係止部材に対して、第３の係止部材を他の接地リード線を介して電気的に接続したことを特徴とする。
３つの係止部材を接地リード線を介して接続した構成とすることにより、２つの送電線を同時に接地することが可能となる。
請求項３の発明は、前記第１、第２、及び第３の係止部材は、夫々絶縁材料から成るベース部材と、該ベース部材によって開閉自在に軸支され、且つ前記ベース部材の導体部分との間で対象物を挟持する導体部分を備えたフック部材と、前記各接地リード線との接続端子と、を備え、前記絶縁棒を何れかの前記係止部材に装着した状態で、該絶縁棒を回動操作することにより、前記各フック部材を開閉するように構成されていることを特徴とする。
【００１０】
請求項４の発明に係るアースフックを用いた接地方法は、送電鉄塔により支持され、且つ両端部に送電路側アークホーン、及び接地側アークホーンを突設した絶縁碍子連が支持した送電線を、請求項１乃至３の何れか一項に記載のアースフックを用いて接地する方法であって、前記第２の係止部材を取り付けた前記第１の係止部材に前記絶縁棒を装着した状態で、該第１の係止部材を前記接地側アークホーンに係止するステップと、前記第１の係止部材から前記絶縁棒を離脱させるステップと、前記絶縁棒を前記第１の係止部材に取り付けられた前記第２の係止部材に装着するステップと、前記絶縁棒を操作して前記第２の係止部材を前記第１の係止部材から離脱させるステップと、前記絶縁棒により支持した前記第２の係止部材を前記線路側アークホーンに係止するステップと、前記第２の係止部材から前記絶縁棒を離脱させるステップと、を備えたことを特徴とする。
【発明の効果】
【００１１】
本発明では、接地リード線の両端部にほぼ同一構造の係止部材を取り付けたので、絶縁棒を用いた作業だけで、各係止部材を任意の部位に対して着脱することができる。
従って、例えば、絶縁碍子の保守、点検を行うために絶縁碍子により支持された送電線の接地作業を行う際に使用する送電線作業保護具としてのアースフックの構成を簡略化して取扱性、作業性を向上することができる。
【図面の簡単な説明】
【００１２】
【図１】（ａ）及び（ｂ）は本発明の一実施形態に係るアースフックの全体構成を示す説明図である。
【図２】（ａ）（ｂ）及び（ｃ）は本アースフックを一部断面で示す正面図、右側面図、及び平面図である。
【図３】第１の係止部材の外観図である。
【図４】絶縁棒と連結部材との接続構造の他の構成例を示す図である。
【図５】（ａ）及び（ｂ）はアースフックを用いて一方の送電線を接地する場合の作業手順の説明図である。
【図６】（ｃ）及び（ｄ）は図５の作業手順の続きを示した図である。
【図７】（ａ）は本発明の他の実施形態に係るアースフックの構成説明図であり、（ｂ）はこのアースフックをアークホーンに適用した状態を説明する図である。
【図８】従来のアースフックの構成説明図である。
【図９】従来のアースフックを利用して一方の絶縁碍子と接続された送電線を接地する手順を示した図である。
【発明を実施するための形態】
【００１３】
以下、本発明を図面に示した実施の形態により詳細に説明する。
図１（ａ）及び（ｂ）は本発明の一実施形態に係るアースフックの全体構成を示す説明図であり、図２（ａ）（ｂ）及び（ｃ）は本アースフックを一部断面で示す正面図、右側面図、及び平面図であり、図３は第１の係止部材の外観図であり、図４は絶縁棒と連結部材との接続構造の他の構成例を示す図であり、図５（ａ）（ｂ）、及び図６（ｃ）（ｄ）はアースフックを用いて絶縁碍子連を接地する手順を示す図である。
アースフック１は、エポキシパイプ等からなる絶縁棒（操作棒）２と、絶縁棒の先端に着脱自在に支持された第１の係止部材３と、第１の係止部材と電気的に接続された接地リード線４と、接地リード線を介して第１の係止部材３と電気的に接続された第２の係止部材５と、を備え、第２の係止部材５は、第１の係止部材３に対して着脱自在に構成されている。第２の係止部材５を第１の係止部材３に対して着脱自在にする構成は種々の態様を選択可能である。
【００１４】
図２に示すように絶縁棒２の先端面の中心部には小径棒状の操作部材１０が同軸状に突出しており、操作部材１０の先端側面に設けた穴１１内には出没部材１２が出没自在、且つ脱落不能に収納され、穴１１内に配置したバネにより突出方向へ付勢されている。操作部材１０は金属製である。
第１の係止部材３と第２の係止部材５は、ほぼ同等の構成を有する。
各係止部材は３５、夫々絶縁材料から成るベース部材３０と、ベース部材によって開閉自在に軸支され、且つベース部材の導体部分５０との間で対象物を挟持する導体部分４０ｂを備えたフック部材４０と、接地リード線４との接続端子５１と、から概略構成されている。
【００１５】
第１の係止部材３は、絶縁棒の操作部材１０を着脱自在に差込み可能とする挿入穴２１を下端面に有すると共に側面に出没部材１２が入り込んで係止される係止穴２２を有した金属製の連結部材２０と、連結部材２０の上面中央部に下端部を固定されて軸方向へ突出し、少なくとも一部に雄螺子部を有した螺子棒２５と、螺子棒２５外周の雄螺子部と螺合する雌ネジを内周に有し、且つ螺子棒２５を回転自在に支持する螺子穴３１を有した絶縁材料から成るベース部材３０と、ベース部材３０の上部適所に設けた回動軸４１によって基端部寄りの適所を回動自在に軸支された金属製のフック部材４０と、螺子棒２５の先端部とフック部材４０の最基端部位を連結する連結部４５と、ベース部材３０により固定的に支持されてフック部材４０が閉じた時にフック部材との間でアークホーン等の導体を挟圧保持する固定側挟圧片（導体）５０と、固定側挟圧片５０とは反対側のベース部材外面に露出配置された接地リード線４との接続端子５１と、固定側挟圧片５０と接続端子５１とを接続する導体部分５２と、接続端子５１の上方のベース部材外面から水平に突設され、第２の係止部材５を着脱自在に取り付けるための取付部材６０と、を備えている。
螺子棒２５は、ベース部材３０の螺子穴３１内をフック部材４０に向けて移動した時には連結部４５を押圧してフック部材を閉止方向へ回動させる一方で、フック部材から離間する方向へ退避した時には連結部４５を下方へ引いてフック部材を開放させる。
連結部材２０の係止穴２２内に操作部材１０を差し込むと、操作部材の側面に設けた穴１１内に出没自在に収容されると共に外径方向へ向けてバネ付勢された出没部材１２が穴１１内に没入するため、操作部材１０を係止穴２２の奥まで差し込むことができ、出没部材１２が係止穴２２内に突出した時に、連結部材２０と絶縁棒２とが一体化される。
【００１６】
一体化された連結部材２０及び螺子棒２５は、ベース部材３０に対して相対回転可能であるため、フック部材４０をアースホーン等の接地対象物に係止した状態で絶縁棒を回動させると、螺子穴３１内に配置された螺子棒２５が回転しながら軸方向へ進退する。螺子棒２５がフック部材の基端部（連結部４５）に向かう方向へ絶縁棒を回転させると、螺子棒先端がフック部材４０の基端部を図２の上方へ押圧するため、フック部材４０は回動軸４１を中心として閉じる方向（下方）へ回動する。逆に、螺子棒２５がフック部材の基端部（連結部４５）から離間する方向へ絶縁棒を逆転させると、螺子棒先端がフック部材４０の基端部を絶縁棒側へ引くため、フック部材４０は回動軸４１を中心として開放する方向へ回動する。
係止穴２２の形状を四角形等の多角形としておく一方で、出没部材１２の形状をこの係止穴と整合する多角柱状としておくことにより、絶縁棒を正逆回動させる際のトルクを連結部材２０に伝達させて螺子棒２５を正逆回動させ易くすることができる。また、絶縁棒を連結部から抜き取る際には、抜取り方向（軸方向）へ所定以上の力を用いて引けば、出没部材１２を付勢する弾性部材の付勢力に抗して出没部材を退避させることができる。
必要に応じて図示しない弾性部材により、フック部材を常時閉じる方向へ付勢してもよい。
フック部材４０をＦＲＰ等の軽量な樹脂部分４０ａと、導体部分４０ｂとから構成して軽量化を図っても良い。導体部分４０ｂは、例えば平編銅線等の弾性を有した金属材料とすることにより、導体から成る固定側挟圧片（導体部分）５０との間でアークホーン等を挟圧保持する際の保持力を高めることができる。
【００１７】
また、フック部材４０を図２（ｃ）の平面図に示すように二股に分岐させた構造とすることにより、接触部位が二箇所となり、安定した締め付けが可能となる。
なお、絶縁棒を操作することにより第１のフック部材を開閉させるための上記構成は一例に過ぎず、これ以外の種々の構成を適用することができる。例えば、図４に示すように、出没部材１２に代えて単なる突起１３を絶縁棒２の先端側面に突設し、連結部材２０の下端縁から軸方向上方へ向けて突起の進入用の軸方向スリット１４を形成する。そして、軸方向スリット１４の終端部に左右へ延びる横方向スリット１４ａをＴ字状に形成する。絶縁棒先端を連結部材２０の下面開口部から差し込む際には、突起１３が軸方向スリット１４ａの下端部から入り込んで上端部に向かうように操作し、突起が軸方向スリットの終端部に達した時点で横方向スリットに沿って一方向へ絶縁棒を回動させることにより、絶縁棒２を同方向へ回動させてフック部材４０を開放させることができる。また、絶縁棒２を逆方向へ回動させることによりフック部材を閉止させることができる。絶縁棒を連結部材から抜き取る際には、突起が軸方向スリットの終端部に位置するまで絶縁棒を回動させてから抜取り方向へ引けばよい。
【００１８】
本発明の特徴的な構成は、第１の係止部材３のベース部材３０の外面適所、本例ではフック部材を取り付けた面とは反対側面（その他の部位でも可）に第２の係止部材５を着脱自在に取り付ける取付部材６０を設けた点にある。取付部材６０は、例えば図示のように棒状とすることにより、第２の係止部材５のフック部材４０と固定側挟圧片５０との間で取付部材６０を挟圧することが可能となり、第１の係止部材３に対して第２の係止部材を着脱自在に係止することができる。
なお、取付部材６０は、ベース部材３０に対して一体化してもよいし、着脱自在にしてもよい。具体的には、ベース部材に設けたネジ穴内に、取付部材に設けた雄螺子部を着脱自在に螺着させるようにしてもよい。
取付部材６０は絶縁製の樹脂等から構成するのが好ましいが、フック部材との短絡を防止することができれば、金属製であっても良い。
【００１９】
第２の係止部材５は、取付部材６０を有しない点を除けば、第１の係止部材３と同等の構成を有している。なお、第２の係止部材に取付部材６０を設けて第３の係止部材を係止するようにしてもよい。
第２の係止部材５のフック部材４０の開閉操作は、第１の係止部材３に装着されていた絶縁棒２を取り外してその先端部を第２の係止部材の連結部材２０内に差し込み装着した後で、絶縁棒を回動させることにより行うことができる。つまり、第１の係止部材３と操作方法は同じである。
【００２０】
以上の構成を備えたアースフック１を用いた絶縁碍子の接地手順について図５に基づいて説明する。
絶縁碍子（連）は送電線と、その支持物である送電鉄塔との間を絶縁するための器具である。
送電鉄塔の腕金１００によって２本の送電線１３０の各端部を機械的に支持する手段としては絶縁碍子（連）１２０、１２１が用いられ、送電線間の導通はジャンパー線１３５により行う。各絶縁碍子の両端部には、各絶縁碍子がフラッシオーバを起こした場合に絶縁碍子が受けるダメージを低減するために、アークホーン１２５、１２６と称される金具が突出した状態で接続される。アークホーンには、線路側のアークホーン１２５と、接地側のアークホーン１２６がある。
本発明のアースフック１を用いて左側の送電線１３０を接地する場合には、第２の係止部材５を第１の係止部材の取付部材６０に装着した状態で、作業員が絶縁棒２を保持しつつ、腕金１００等の適所に自分の身体を位置決めする。この際、絶縁棒を操作して第１の係止部材のフック部材４０を開放させておく。
【００２１】
次いで、図５（ａ）に示すように作業員は保持した絶縁棒２の先端を接地側アークホーン１２６に伸ばして、開放状態にあるフック部材４０と固定側挟圧片５０との間に接地側アークホーン１２６の適所を引っ掛ける（挟む）。この状態で絶縁棒２を操作してフック部材４０を閉止状態とすることにより、固定側挟圧片５０との間で強固に接地側アークホーン１２６を挟圧保持（固定）する。
第１の係止部材３を接地側アークホーン１２６に固定した後は、図５（ｂ）に示したように、絶縁棒２を第１の係止部材の連結部材２０から離脱させると共に、絶縁棒２の先端を第２の係止部材５の連結部材２０の端部開口から内部に差し込んで係止穴２２内に出没部材１２を係止させる。
この状態で絶縁棒２を開放方向へ操作して第２の係止部材５のフック部材４０を開放させることにより取付部材６０から離脱させる。
【００２２】
次いで、作業員は図６（ｃ）に示すように絶縁棒２を保持した状態で第２の係止部材５を線路側アークホーン１２５へ伸ばし、開放状態にあるフック部材４０と固定側挟圧片５０との間に線路側アークホーン１２５の適所を引っ掛ける（挟む）。この状態で絶縁棒２を操作してフック部材４０を閉止状態とすることにより、固定側挟圧片５０との間で強固に線路側アークホーン１２５を挟圧保持（固定）する。
【００２３】
最後に、図６（ｄ）に示すように第２の係止部材５の連結部材２０の端部開口から絶縁棒を抜き取って作業を完了する。
これらの作業は、鉄塔上のほぼ同一の位置において行うことができるため、作業員の労力を大幅に低減することができる。
各アークホーンに接続された各係止部材を取り外す際には、各係止フックの連結部材２０の端部開口内に絶縁棒の先端を差し込んだ上で、取付時と逆の操作を行えばよい。即ち、まず第２の係止部材５に絶縁棒を取り付けて開放方向へ操作することによりフック部材４０を開放させて線路側アークホーン１２５から離脱させる。次いで、離脱させた第２の係止部材５のフック部材を接地側アークホーン１２６に係止されたままの第１の係止部材３の取付部材６０に係止させる。最後に、第１の係止部材３の端部開口内に絶縁棒先端を装着して開放方向へ操作することにより接地側アークホーン１２６から離脱させる。
この操作は鉄塔上のほぼ同一位置からの操作で実現できるので、作業員の労力を低減できる。
【００２４】
以上の接地方法を言い換えると以下の通りである。
即ち、本接地方法は、送電鉄塔により支持され、且つ両端部に送電路側アークホーン１２５、及び接地側アークホーン１２６を突設した絶縁碍子連１２０が支持した送電線１３０を、アースフック１を用いて接地する方法であって、第２の係止部材５を取り付けた第１の係止部材３に絶縁棒２を装着した状態で、第１の係止部材を接地側アークホーンに係止（電気的、機械的に接続）するステップと、第１の係止部材から絶縁棒を離脱させるステップと、絶縁棒を第１の係止部材に取り付けられた第２の係止部材に装着するステップと、絶縁棒を操作して第２の係止部材を第１の係止部材から離脱させるステップと、絶縁棒により支持した第２の係止部材を線路側アークホーンに係止（電気的、機械的に接続）するステップと、第２の係止部材から絶縁棒を離脱させるステップと、を含むものである。
【００２５】
次に、図７（ａ）は本発明の他の実施形態に係るアースフックの構成説明図であり、（ｂ）はこのアースフックをアークホーンに適用した状態を説明する図である。なお、上記実施形態と同一部分には同一符号を付して説明する。
このアースフック１は、図１等に示した第１の係止部材３に対して第２の係止部材５を接地リード線４を介して電気的に接続し、且つ両係止部材を機械的に着脱自在に取り付けると共に、第１の係止部材３（又は、第２の係止部材５）に対して他の接地リード線４を介して第３の係止部材７０を接続した構成が特徴的である。
【００２６】
第３の係止部材７０は、第１の係止部材３に設けた取付部材６０に対して、第２の係止部材５と共に着脱自在に構成してもよいし、第２の係止部材５に設けた取付部材に対して着脱自在にしてもよい。
本実施形態では、３つの係止部材３、５、７０を各接地リード線４を介して直列に接続することにより、図７（ｂ）に示したように一方の絶縁碍子（連）１２０の線路側アークホーン１２５の他に、他方の絶縁碍子１２１の一端に設けられた線路側アークホーン１２５とも同時に接続するようにした点が特徴的である。
従ってジャンパー線の開放操作（接地操作）等において、一つの器具によって２つの絶縁碍子の各線路側アークホーンを同時に接地することが可能となる。
【００２７】
このような作業を行う際に、作業員は身体を大きく移動させずに、鉄塔上のほぼ同じ位置に立って、全ての係止部材を所要箇所に接続し、保守、点検作業が終了した後も同様に最低限の労力にて各係止部材を取り外すことができる。
特に、本発明のアースフックにあっては、一つの絶縁碍子連の両端部に設けたアークホーン間を接続すればよいので、重量物としての接地リード線の長さを短くすることができ、運搬性、取扱い性を高め、作業性を高めることができる。
【００２８】
また、従来のアースフックにあっては、一つの係止部材を接地リード線を介して接地金具と接続した構成であったため、作業員が鉄塔上で移動したり、手作業により接地金具を鉄塔側のアース部材と螺子止めする作業が必要であった。これに対して本発明では、絶縁棒を用いた操作により２つの係止部材を夫々任意の部位に着脱できるので、作業員が鉄塔上で移動したり、手作業で螺子止めする等の煩雑な作業が不要となる。
また、係止部材を部分的に樹脂にて構成したので、軽量化を図ることができた。
なお、本発明のアースフックは、絶縁碍子連の両端に設けられたアークホーン間を接続する以外にも、アース端子部と、接地対象物との間を接続する手段として幅広い用途を有している。
【００２９】
以上のように本発明では、接地リード線の両端部にほぼ同一構造の係止部材を取り付けたので、絶縁棒を用いた作業により、各係止部材を任意の部位に対して着脱することができる。
従って、例えば、絶縁碍子の保守、点検を行うために絶縁碍子により支持された送電線の接地作業を行う際に使用する送電線作業保護具としてのアースフックの構成を簡略化、軽量化して取扱性、作業性を向上することができる。
【符号の説明】
【００３０】
１…アースフック、１０…操作部材、１１…穴、１２…出没部材、１３…突起、２…絶縁棒、３…第１の係止部材、４…接地リード線、５…第２の係止部材、２０…連結部材、２１…挿入穴、２２…係止穴、２５…螺子棒、３０…ベース部材、３１…螺子穴、４０…フック部材、４０ａ…樹脂部分、４０ｂ…導体部分、４１…回動軸、４５…連結部、５０…固定側挟圧片（導体部分）、５１…接続端子、５２…導体部分、６０…取付部材、７０…係止部材、１００…腕金、１２０…絶縁碍子連、１２１…絶縁碍子、１２５…線路側アークホーン、１２５…送電路側アークホーン、１２６…接地側アークホーン、１３０…送電線、１３５…ジャンパー線
【図１】
2014166090.tif 000003
【図２】
2014166090.tif 000004
【図３】
2014166090.tif 000005
【図４】
2014166090.tif 000006
【図５】
2014166090.tif 000007
【図６】
2014166090.tif 000008
【図７】
2014166090.tif 000009
【図８】
2014166090.tif 000010
【図９】
2014166090.tif 000011